(57)【要約】【課題】建物の内部でも半露出階段Ｓの各踏板１５を踏板取付金物等を用いることなく容易に側桁１，５に取り付けるようにして、その施工性を高める。【解決手段】壁側桁１の内面に各踏板１５の右端部を挿入する挿入部２が開口されている。露出側桁５には、側桁切込部６とその後側に連続する側桁嵌合部７とが設けられ、側桁嵌合部７は、露出側桁５の内外側面５ａ，５ｂにそれぞれ内側及び外側掘り込み部８，９を形成した残りの部分からなっている。内側掘り込み部８の掘り込み深さは外側掘り込み部９よりも深く、かつ側桁嵌合部７の厚さｔは踏板１５後部の踏板切込部１６の幅ｄよりもスライド代だけ小さく、施工状態では、踏板１５は露出側桁５に対し、踏板切込部１６の外側面１６ｂが側桁嵌合部７の外側面７ｂに当接しかつ内側面１６ａと側桁嵌合部７の内側面７ａとの間にスライド代と同じ間隔Ｄがあけられた状態で固定されている。【選択図】図２
2019157557.tif 000002
【特許請求の範囲】
【請求項１】
壁に当接又は近接して固定される壁側桁と、
上記壁側桁と左右方向に対向して起立した状態に配置される露出側桁と、
上記両側桁間に架け渡される複数の踏板とを備え、
上記壁側桁において露出側桁と対向する内面には、各踏板の一端部が挿入される挿入部が開口されている一方、
上記露出側桁には、該露出側桁の前端部から後側に向かって水平方向に切り込まれた一定深さの複数の側桁切込部と、該各側桁切込部の後側に連続するように水平方向に延びる側桁嵌合部とが一定間隔をあけて設けられ、
上記各側桁嵌合部は、露出側桁の壁側桁側の内側面に内側掘り込み部を、また壁側桁と反対側の外側面に外側掘り込み部をそれぞれ形成することで、該両掘り込み部間の残りの部分からなっていて、該側桁嵌合部の壁側桁側にある内側面と、壁側桁と反対側にある外側面との間の厚さが露出側桁の厚さよりも小さく、
上記各踏板の他端部寄りには、後端部から前側に向かって切り込まれた一定深さの踏板切込部と、該踏板切込部の前側に連続するように延びる踏板嵌合部とが設けられ、
上記各踏板の踏板嵌合部が露出側桁の側桁切込部に嵌合され、かつ側桁嵌合部が踏板切込部に嵌合されており、
上記内側掘り込み部の掘り込み深さは外側掘り込み部よりも深く、かつ上記側桁嵌合部の厚さは上記踏板切込部の幅よりも小さく、
各踏板の一端部は壁側桁の挿入部に挿入されている一方、
各踏板の他端部は露出側桁に対し、少なくとも上記踏板切込部における踏板一端部側の内側面と側桁嵌合部の内側面との間に間隔があけられかつ踏板切込部の左右両側部が掘り込み部下面上に支持された状態で固定されていることを特徴とする半露出階段。
【請求項２】
請求項１において、
側桁嵌合部の厚さは踏板切込部の幅よりも所定のスライド代だけ小さく、
各踏板の他端部は露出側桁に対し、上記踏板切込部における踏板他端部側の外側面が側桁嵌合部の外側面に当接しかつ踏板一端部側の内側面と側桁嵌合部の内側面との間に上記スライド代と同じ間隔があけられた状態で固定されていることを特徴とする半露出階段。
【請求項３】
請求項１又は２において、
側桁切込部ないし掘り込み部の下面に楔収容部が形成され、
各踏板の他端部は、楔収容部内に楔が踏板の下面と圧接するように差し込まれることで、露出側桁に固定されていることを特徴とする半露出階段。
【請求項４】
請求項３において、
楔収容部は、側桁切込部ないし内側掘り込み部の下面に形成されていることを特徴とする半露出階段。
【請求項５】
請求項３又は４において、
楔収容部は、前側に向かうに連れて深さが浅くなっており、楔は前側に向かうに連れて厚さが薄くなっていることを特徴とする半露出階段。
【請求項６】
請求項１〜５のいずれか１つの半露出階段を施工する方法であって、
壁側桁を壁に当接又は近接して設置するとともに、露出側桁を壁側桁と左右方向に対向して起立させ、
各踏板の全体を後側に押すことで、上記露出側桁の各側桁切込部に前側から各踏板の踏板嵌合部を差し込んで踏板切込部と側桁嵌合部とを、踏板切込部における踏板他端部側の外側面が側桁嵌合部の外側面との間に間隔があくように嵌合させ、
その後、上記踏板を壁側桁に向かうように左右方向にスライド移動させて、一端部を挿入部に挿入するとともに、踏板切込部における踏板一端部側の内側面と側桁嵌合部の内側面との間に間隔をあけることを特徴とする半露出階段の施工方法。
【発明の詳細な説明】
【技術分野】
【０００１】
本発明は、半露出階段及びその施工方法に関する。
【背景技術】
【０００２】
一般に、屋内に設置される階段として、ボックス階段の他に、例えば特許文献１及び特許文献２に示されるような露出階段が用いられている。ボックス階段は、踏板の一端部又は両端部が壁（又は壁に固定された側桁）に取り付けられ、踏板間に蹴込板が配置されているのに対し、露出階段は、蹴込板がなくて側桁や踏板が剥き出しのものである。
【０００３】
そして、この露出階段は、ホックス階段に比べると、装飾性が高くて開放感を有するために、例えばリビングルーム等の装飾性や開放感が望まれる空間に設置される。
【先行技術文献】
【特許文献】
【０００４】
【特許文献１】特許第５５９６９８１号公報
【特許文献２】特許第４９９９４７９号公報
【発明の概要】
【発明が解決しようとする課題】
【０００５】
ところで、現代の住宅は一般的に小さく、そのような狭小住宅に露出階段が設置できるような広いリビングルーム等の空間を設けることは困難なことが多い。その場合、一方の側桁が壁に沿って配置され、他方の側桁のみが独立して露出した半露出階段として設置される。
【０００６】
しかし、この半露出階段においては、各踏板を両側桁に取り付ける施工時に、露出側の側桁に対しては前側から差し込み、壁側の側桁には横から差し込む必要があり、これら差し込み方向の互いに異なる作業を同時に行わなければならず、その作業が極めて面倒となる。
【０００７】
そして、そのような作業が困難であるときには、住宅内に階段を設置する前に、予め住宅の外で両側桁に踏板を取り付けて階段を組み立て、その後に、階段を住宅内に運び込んで取り付ける施工をすればよいが、この施工方法は、例えば６段以上の長尺の階段では採用が難しい。
【０００８】
一方、踏板の側桁への取付けに際し踏板取付金物等を介在させるようにしてもよいが、重量の増大を招くだけでなく、意匠の面で問題が生じる可能性があり、さらにはコストも高くなる難がある。
【０００９】
本発明は斯かる諸点に鑑みてなされたもので、その目的は、半露出階段の構造や施工方法に工夫を加えることにより、建物の内部でも半露出階段の各踏板を、踏板取付金物等を用いることなく容易に側桁に取り付けて、その施工性を高めることにある。
【課題を解決するための手段】
【００１０】
上記の目的を達成すべく、この発明では、半露出階段における両側桁のうち、露出側の側桁には踏板の一端側を側桁の前側から差し込み、その差込状態で踏板の他端部を壁側の側桁に該側桁方向への踏板のスライド移動によって挿入し得る構造にした。
【００１１】
具体的には、第１の発明は半露出階段に係り、この半露出階段は、壁に当接又は近接して設置される壁側桁と、この壁側桁と左右方向に対向して起立した状態に配置される露出側桁と、これら両側桁間に架け渡される複数の踏板とを備えている。
【００１２】
そして、上記壁側桁において露出側桁と対向する内面には、各踏板の一端部が挿入される挿入部が開口されている一方、上記露出側桁には、該露出側桁の前端部から後側に向かって水平方向に切り込まれた一定深さの複数の側桁切込部と、該各側桁切込部の後側に連続するように水平方向に延びる側桁嵌合部とが一定間隔をあけて設けられている。上記側桁嵌合部は、露出側桁の壁側桁側の内側面に内側掘り込み部を、また壁側桁と反対側の外側面に外側掘り込み部をそれぞれ形成することで、該掘り込み部間の残りの部分からなっていて、該側桁嵌合部の壁側桁側にある内側面と、壁側桁と反対側にある外側面との間の厚さが露出側桁の厚さよりも小さくなっている。
【００１３】
また、上記各踏板の他端部寄りには、後端部から前側に向かって切り込まれた一定深さの踏板切込部と、該踏板切込部の前側に連続するように延びる踏板嵌合部とが設けられ、上記各踏板の踏板嵌合部が露出側桁の側桁切込部に嵌合され、かつ側桁嵌合部が踏板切込部に嵌合されている。
【００１４】
さらに、上記内側掘り込み部の掘り込み深さは外側掘り込み部よりも深く、かつ上記側桁嵌合部の厚さは上記踏板切込部の幅よりも小さく、各踏板の一端部は壁側桁の挿入部に挿入されている一方、各踏板の他端部は露出側桁に対し、少なくとも上記踏板切込部における踏板一端部側の内側面と側桁嵌合部の内側面との間に間隔があけられかつ踏板切込部の左右両側部が掘り込み部下面上に支持された状態で固定されていることを特徴とする。
【００１５】
この第１の発明では、各踏板を壁側桁及び露出側桁に取り付けるとき、踏板を、その他端部寄り後部の踏板切込部が露出側桁の前部の側桁切込部に対応した状態で全体を後方に押し込むと、踏板切込部に露出側桁後側の側桁嵌合部が嵌合され、同時に側桁切込部に踏板前部の踏板嵌合部が嵌合され、水平方向の踏板嵌合部と鉛直方向の側桁嵌合部とが前後に突き合わされた状態となる。このとき、露出側桁の壁側桁側の内側面における内側掘り込み部の掘り込み深さが、壁側桁と反対側の外側面における外側掘り込み部よりも深く、両掘り込み部間の残りの部分からなる側桁嵌合部の左右方向の厚さが踏板切込部の同方向の幅よりも小さいので、踏板を例えば踏板切込部における踏板一端部側の内側面が側桁嵌合部の内側面に当接するように押し込めば、踏板切込部における踏板他端部側の外側面と側桁嵌合部の外側面との間に間隔が生じる。この状態では、踏板は他端部側に偏った位置にあって、その一端部が壁側桁の内側にあるので、踏板はその壁側桁に干渉することなく後側に移動する。
【００１６】
こうして踏板を露出側桁に差し込んだ後、そのまま踏板を一端側に押すと、上記間隔が小さくなるように踏板が一端側にスライド移動し、その移動後は、踏板切込部における踏板他端部側の外側面が側桁嵌合部の外側面に近接ないし当接しかつ踏板一端部側の内側面と側桁嵌合部の内側面との間に間隔があけられた状態で固定され、踏板の一端部は壁側桁の挿入部に挿入される。
【００１７】
このように、踏板全体を一旦後側に向かって露出側桁に押し込んだ状態で、その後にスライドさせるので、これら互いに異なる方向の動作を同時に行う必要がなくなり、施工時の作業が容易になる。
【００１８】
しかも、壁側桁及び露出側桁を施工しておき、その後に、それら側桁に対して各踏板を取り付ければよいので、長尺の階段であっても、予め住宅の外で階段を組み立てて住宅内に運び込む施工を行う必要はなく、作業がより一層容易になり、半露出階段の施工の制約を小さくして需要を拡大することができる。
【００１９】
また、踏板を側桁に取り付けるための踏板取付金物等が不要となるので、階段を軽量化できて取り回しが容易になるとともに、意匠やコストの面での問題は生じない。
【００２０】
さらに、踏板が壁側桁側にスライド移動した後の施工状態では、その後部の踏板切込部の左右両側部は側桁嵌合部両側の掘り込み部下面上に支持されるので、踏板後部に対する荷重を露出側桁によって確実に受けることができる。また、踏板切込部は掘り込み部内に位置して隠蔽され、外部に露出しないので、外観見映え上の不具合が生じることもない。
【００２１】
第２の発明は、第１の発明において、側桁嵌合部の厚さは踏板切込部の幅よりも所定のスライド代だけ小さく、各踏板の他端部は露出側桁に対し、上記踏板切込部における踏板他端部側の外側面が側桁嵌合部の外側面に当接しかつ踏板一端部側の内側面と側桁嵌合部の内側面との間に上記スライド代と同じ間隔があけられた状態で固定されていることを特徴とする。
【００２２】
この第２の発明では、側桁嵌合部の左右方向の厚さが踏板切込部の同方向の幅よりもスライド代だけ小さいので、踏板全体を踏板切込部における踏板一端部側の内側面が側桁嵌合部の内側面に当接するように押し込めば、踏板切込部における踏板他端部側の外側面と側桁嵌合部の外側面との間に上記スライド代の間隔が生じる。この状態で、そのまま踏板を一端側に押すと、上記スライド代の間隔だけ踏板が一端側にスライド移動し、その移動後は、踏板切込部における踏板他端部側の外側面が側桁嵌合部の外側面に当接しかつ踏板一端部側の内側面と側桁嵌合部の内側面との間に上記スライド代と同じ間隔があけられ、その状態で踏板の一端部が壁側桁の挿入部に挿入される。よって、この発明でも第１の発明と同様の作用効果を奏することができる。
【００２３】
第３の発明は、第１又は第２の発明において、側桁切込部ないし掘り込み部の下面に楔収容部が形成され、各踏板の他端部は、楔収容部内に楔が踏板の下面と圧接するように差し込まれることで、露出側桁に固定されていることを特徴とする。
【００２４】
この第３の発明では、露出側桁における側桁切込部ないし掘り込み部の下面の楔収容部に楔が踏板の下面と圧接するように差し込まれ、その楔により踏板の他端部が露出側桁に固定されるので、踏板を露出側桁に容易に固定することができる。また、楔は踏板の下側に位置するので、利用者が階段を上る際に見え難くなる。
【００２５】
第４の発明は、第３の発明において、楔収容部は、側桁切込部ないし内側掘り込み部の下面に形成されていることを特徴とする。このように楔が側桁切込部ないし内側掘り込み部下面の楔収容部に踏板の下面と圧接するように差し込まれていると、仮に踏板に壁側桁から離れる方向に力が働いて踏板が同方向にスライドしようとしても、それは楔が食い込む方向となるので、踏板に対して大きな抵抗が生じることとなり、よって踏板をより安定して固定することができる。
【００２６】
第５の発明は、第３又は第４の発明において、上記楔収容部は、前側に向かうに連れて深さが浅くなっており、楔は前側に向かうに連れて厚さが薄くなっていることを特徴とする。
【００２７】
この第５の発明では、楔は前側に向かって先細りの形状であるので、利用者が階段を上る際に楔を目立ち難くすることができる。
【００２８】
第６の発明は、第１〜第５の発明のいずれか１つの半露出階段を施工する方法であって、壁側桁を壁に当接又は近接して設置するとともに、露出側桁を壁側桁と左右方向に対向して起立させ、各踏板の全体を後側に押すことで、上記露出側桁の各側桁切込部に前側から各踏板の踏板嵌合部を差し込んで踏板切込部と側桁嵌合部とを、踏板切込部における踏板他端部側の外側面が側桁嵌合部の外側面との間に間隔があくように嵌合させ、その後、上記踏板を壁側桁に向かうように左右方向にスライド移動させて、一端部を挿入部に挿入するとともに、踏板切込部における踏板一端部側の内側面を側桁嵌合部の内側面との間に間隔をあけることを特徴とする。
【００２９】
この第６の発明では、半露出階段の施工時、壁側桁が壁に当接又は近接して設置され、露出側桁は壁側桁と左右方向に対向して起立される。この状態で、まず、各踏板の全体が後側に押されて、各踏板の踏板嵌合部が露出側桁の各側桁切込部に前側から差し込まれ、その踏板切込部と側桁嵌合部とは、踏板切込部における踏板他端部側の外側面が側桁嵌合部の外側面との間に間隔があくように嵌合される。
【００３０】
次いで、この踏板が壁側桁に向かうように左右方向にスライド移動され、その一端部が壁側桁の挿入部に挿入され、踏板切込部における踏板一端部側の内側面と側桁嵌合部の内側面との間に間隔があけられる。従って、この発明でも第１発明と同様の作用効果を奏することができる。
【発明の効果】
【００３１】
以上説明したように、本発明によると、互いに対向する壁側桁及び露出側桁の間に複数の踏板が架け渡される半露出階段において、踏板と露出側桁とが嵌合される部分に踏板を壁側桁に向けてスライド移動可能とする構造を設け、その踏板を露出側桁に前側から嵌合した状態で壁側桁にスライド移動させて端部を壁側桁に固定するようにしたことにより、階段の施工時に、各踏板を後側に向かって露出側桁に押し込む作業と、壁側桁にスライドさせる作業とを別々に行えば済み、互いに異なる方向の動作を同時に行う必要がなくなるとともに、長尺の階段であっても、予め住宅の外で階段を組み立てて住宅内に運び込む手間も不要となり、作業の容易化や半露出階段の需要の拡大を図ることができる。また、踏板を側桁に取り付けるための踏板取付金物等が不要となり、階段の軽量化、意匠性の向上やコストダウン化を図ることができる。
【図面の簡単な説明】
【００３２】
【図１】図１は、本発明の実施形態に係る半露出階段の全体構成を示す斜視図である。
【図２】図２は、半露出階段の要部を示す正面図である。
【図３】図３は、露出側桁を壁側桁から見た側面図である。
【図４】図４は、踏板を壁側桁にスライド移動させる前の状態を示す図５相当図である。
【図５】図５は、図２のＶ−Ｖ線拡大断面図である。
【図６】図６は、踏板の平面図である。
【図７】図７は、踏板を露出側桁に差し込む前の状態を示す分解斜視図である。
【図８】図８は、踏板を露出側桁に差し込んだ状態を示す斜視図である。
【図９】図９は、踏板を壁側桁にスライド移動させた状態を示す斜視図である。
【図１０】図１０は、踏板を楔によって露出側桁に固定した状態を示す斜視図である。
【発明を実施するための形態】
【００３３】
以下、本発明の実施形態を図面に基づいて詳細に説明する。以下の実施形態の説明は、本質的に例示に過ぎず、本発明、その適用物或いはその用途を制限することを意図するものでは全くない。
【００３４】
図１は本発明の実施形態に係る半露出階段Ｓを示し、この階段Ｓは、住宅等の建物の室内に施工される。図１において、Ｆ１は室内の下部床、Ｗは壁であり、下部床Ｆ１には、図示しないが複数本の柱が壁Ｗと一定間隔をあけて平行に並ぶように立設され、これら柱間に亘って仕切り壁Ｗ１が形成されている。また、仕切り壁Ｗ１の上端部と壁Ｗとの間には上部床Ｆ２が施工されており、この上部床Ｆ２の前端部（図１で右端部）と下部床Ｆ１との間に、両床部Ｆ１，Ｆ２間を行き来するための上記半露出階段Ｓが施工され、この階段Ｓは後ろ向きに上がるものとされている。
【００３５】
半露出階段Ｓは、該階段Ｓを前側から見たときに右側に位置する壁側桁１（箱型側桁とも呼ばれる）と、左側に位置する露出側桁５（露出型側桁）と、両側桁１，５間に前側から後側に向かって斜め上側に上がるように架け渡される複数（図示例では６枚）の踏板１５，１５，…とを備えている。
【００３６】
図２にも示すように、上記壁側桁１は、後方向に向かって上方向に向かうように傾斜した所定厚さ（例えば２２．５ｍｍ）の板材からなり、その右側面で上記壁Ｗに当接して固定された状態で設置されている。壁側桁１の前後の端部は互いに平行で、後側に向かって上側に向かうように傾斜している。壁側桁１の上端部は上部床Ｆ２の右側前端部に、また下端部は下部床Ｆ１の上面にそれぞれ固定されている。この壁側桁１の左側面、つまり露出側桁５と対向する内面には、水平前後方向に延びる横長の矩形状有底穴からなる複数（例えば６個）の挿入部２，２，…が壁側桁１の長さ方向に一定の間隔をあけて開口されている。各挿入部２の深さは例えば１０ｍｍとされ、前後方向の長さは踏板１５の前後幅と同じかそれよりも僅かに小さく、上下方向の幅も踏板１５の厚さと同じかそれよりも僅かに小さくなっており、この挿入部２に各踏板１５の一端部である右端部が挿入されるようになっている。また、壁側桁１の前端部下端は垂直方向に切り欠かれている。尚、壁側桁１は、壁Ｗに当接した状態で固定されている必要はなく、壁Ｗに近接した状態で固定されていてもよく、さらには壁側桁１が壁Ｗに固定されていなくてもよい。
【００３７】
これに対し、図２及び図３にも示すように、上記露出側桁５も、後方向に向かって上方向に向かうように傾斜した所定厚さの板材からなり、その前後の端部は互いに平行で、いずれも後側に向かって上側に向かうように傾斜している。この露出側桁５は、壁側桁１とは異なり、壁側桁１よりも厚く（例えば６５ｍｍ）、全体が壁Ｗから離れて独立して起立した状態に配置され、その上端部は上部床Ｆ２の左側前端部に、また下端部は下部床Ｆ１の上面にそれぞれ固定されている。露出側桁５と壁側桁１とは互いに平行で一定の間隔（対向面間の間隔が例えば７７７．５ｍｍ）をあけて左右方向に対向しているが、各々の踏板１５の取付部位の違いから、露出側桁５は壁側桁１に対しそれよりも少し後側にずれた位置にあり、左右方向から見たときに、壁側桁１の後半部と露出側桁５の前半部とが部分的に重なるように配置されている。
【００３８】
図２〜図５、図７に示すように、上記露出側桁５には、その前端部から後側に向かって水平方向に切り込まれた一定深さの複数（例えば６個）の側桁切込部６，６，…（側桁嵌合凹部）が一定間隔をあけて設けられている。各側桁切込部６の上下幅は各踏板１５の厚さ（例えば３６ｍｍ）と同じかそれよりも僅かに大きい寸法とされている。
【００３９】
また、露出側桁５において上記各側桁切込部６の後側には、該側桁切込部６と連続するように水平方向に延びる複数の側桁嵌合部７，７，…が形成されている。具体的には、各側桁切込部６後側の露出側桁５において、壁側桁１側の右側面である内側面５ａには内側掘り込み部８が、また壁側桁１と反対側の左側面である外側面５ｂには外側掘り込み部９がそれぞれ形成されている。これら両掘り込み部８，９は、露出側桁５の内外側面５ａ５ｂにおいて側桁切込部６の後側部分を、側桁切込部６から後側へ直線状に延長するように露出側桁５の厚さ方向に中間部を残して掘り込んだものであり、両掘り込み部８，９の高さ位置は互いに同じ位置にあり、各々の前端（側桁切込部６後端）から後端までの長さ、及び上下方向の幅は両掘り込み部８，９で同じである。
【００４０】
そして、露出側桁５において上記両掘り込み部８，９間の部分、つまり両掘り込み部８，９を除いて残った部分に上記側桁嵌合部７が形成されている。そのため、この側桁嵌合部７の壁側桁１側にある内側面７ａ（内側掘り込み部８の底面）と、壁側桁１と反対側にある外側面７ｂ（外側掘り込み部９の底面）との間の厚さｔは、両掘り込み部８，９の深さ分だけ露出側桁５の厚さよりも小さくなっている。
【００４１】
さらに、上記側桁切込部６の下面右端部から内側掘り込み部８の下面にかけて、その一部を下側に掘り込んだ楔収容部１１が形成されている。楔収容部１１は、後端部から前側に向かって深さが浅くなった、左右方向から見て細長い三角形状のもので、その後端部は内側掘り込み部８後端部に一致して位置し、前端部は側桁切込部６の下面の前端寄り部分に位置している。そして、この楔収容部１１の下面において側桁嵌合部７側である左側部分には、左側に向かって上側に傾斜する傾斜面１１ａ（楔面）が形成されている。
【００４２】
図６に示すように、上記各踏板１５は例えば厚さ３６ｍｍの矩形状板材からなり、その幅は例えば２４０ｍｍ、長さは例えば９５５ｍｍとされている。
【００４３】
各踏板１５の他端部である左端部寄り（例えば左端部から１３５ｍｍ）の位置には、後端部から前側に向かって切り込まれた一定深さ（例えば１５０ｍｍ）の踏板切込部１６が形成され、この踏板切込部１６の幅ｄ（左右方向の幅）は例えば４７ｍｍとされている。
【００４４】
各踏板１５には、その踏板切込部１６の前側に該踏板切込部１６と連続するように延びる踏板嵌合部１７が形成され、この踏板嵌合部１７は踏板切込部１６を除いた残りの前側部分の後部からなる。
【００４５】
そして、各踏板１５は壁側桁１及び露出側桁５に対し取り付けられ、その取付構造では、踏板１５の右端部が壁側桁１の挿入部２に挿入される一方、踏板１５の左端部側にあっては、前側の踏板嵌合部１７が露出側桁５前側の側桁切込部６に嵌合され、かつ後側の踏板切込部１６に露出側桁５後側の側桁嵌合部７が嵌合されている。
【００４６】
本発明の特徴として、図２、図４及び図５に示すように、上記露出側桁５における外側掘り込み部９の掘り込み深さは例えば１０ｍｍであるのに対し、内側掘り込み部８の掘り込み深さは例えば２０ｍｍであって外側掘り込み部９よりも深く、これら両掘り込み部８，９間の上記側桁嵌合部７の厚さｔは３５ｍｍとされて、この側桁嵌合部７に外嵌合される上記踏板切込部１６の幅ｄよりも所定寸法（例えば１２ｍｍ）だけ小さくなっており（ｄ＞ｔ）、この差分ｄ−ｔが踏板１５を左右方向に移動可能とするスライド代とされている。
【００４７】
そして、図５に示すように、各踏板１５が両側桁１，５に固定された状態では、踏板１５の右端部が壁側桁１の挿入部２に挿入され、踏板１５の左端部は露出側桁５に対し、上記踏板切込部１６の左側面である外側面１６ｂが側桁嵌合部７の外側面７ｂに当接し、踏板切込部１６の右側面である内側面１６ａと側桁嵌合部７の内側面７ａとの間に上記スライド代と同じ間隔Ｄがあけられ、かつ踏板切込部１６の左右両側部がそれぞれ掘り込み部８，９下面上に支持された状態で固定されている。
【００４８】
また、上記露出側桁５の楔収容部１１には楔２０が収容されている。この楔２０は楔収容部１１と同じ立体形状を有する断面略台形状のもので、前側に向かうに連れて厚さが薄くなっている。その下面の幅方向左側部には楔収容部１１の傾斜面１１ａと同じ方向に傾斜する傾斜面２０ａが形成されており、この楔２０が楔収容部１１内に各々の傾斜面２０ａ，１１ａ同士で圧接しかつ楔２０の上面で踏板１５の下面と圧接するように打ち込み状に差し込まれることで、踏板１５の左端部は露出側桁５に固定されている。
【００４９】
次に、本発明の実施形態に係る半露出階段Ｓの施工方法について図７〜図１０等により説明する。まず、壁側桁１を壁Ｗに対し当接状態で位置決めして固定し、その下端部を下部床Ｆ１に、また上端部を上部床Ｆ２の右側前端部にそれぞれ固定する。一方、露出側桁５は、壁側桁１と一定間隔をあけて左右方向に対向した状態で起立させて位置決めし、その下端部を下部床Ｆ１に、また上端部を上部床Ｆ２の左側前端部にそれぞれ固定する。
【００５０】
このように固定された壁側桁１及び露出側桁５に対し、複数の踏板１５，１５，…を順に取り付けて固定する。具体的には、図７に示すように、各踏板１５とそれに対応する各楔２０とを用意した後、図８に示すように、踏板１５の左端部寄り後端部の踏板切込部１６が露出側桁５前端部の側桁切込部６と一致した状態で、踏板１５全体を左右水平方向に延びるように保ちながら後側に押し込み、そのことで露出側桁５の側桁切込部６に前側から踏板１５の踏板嵌合部１７を差し込みかつ踏板切込部１６に側桁嵌合部７を嵌合させる。
【００５１】
そのとき、踏板１５を左側に位置付けておくことで、図４に示すように、側桁嵌合部７の内側面７ａ（右側面）と踏板切込部１６の内側面１６ａ（右側面）とが当接し、側桁嵌合部７の外側面７ｂ（左側面）と踏板切込部１６の外側面１６ｂ（右側面）との間にスライド代（間隔）があくように嵌合させる。この状態では、踏板１５が左側に位置付けられているので、図８に示すように、踏板１５の右端部は壁側桁１の内側（その左側面よりも左側）に位置しており、この右端部が壁側桁１と干渉することはなく、踏板１５を水平面内や円直面内で傾けずとも水平状態のままで後方向にスムーズに押し込んで露出側桁５に嵌合することができる。
【００５２】
このようにして踏板１５の左端部が露出側桁５に嵌合されると、その後、図９に示すように、踏板１５をそのまま右方向にスライド移動させる。このとき、側桁嵌合部７の外側面７ｂ（左側面）と踏板切込部１６の外側面１６ｂ（右側面）との間にスライド代が形成されているので、このスライド代がなくなるまで板１５をスライドさせ、踏板切込部１６における外側面１６ｂを側桁嵌合部７の外側面７ｂに当接させるとともに、その踏板１５の右端部側の内側面１６ａ（右側面）と側桁嵌合部７の内側面７ａとの間にスライド代と同じ間隔をあける。それと同時に、踏板１５の右端部を壁側桁１左側面の挿入部２に挿入する。このことで、踏板１５の壁側桁１及び露出側桁５に対する組付けが終了する。
【００５３】
最後に、図１０に示すように、露出側桁５の踏板嵌合部１７の下面ないし内側掘り込み部８の下面にある楔収容部１１内に上記楔２０を差し込む。具体的には、楔収容部１１の下面と踏板１５の下面との間の空間に楔２０を打ち込む。こうすることで、楔２０の傾斜面２０ａが楔収容部１１内に傾斜面１１ａに、また楔２０の上面が踏板１５の下面にそれぞれ圧接して、踏板１５が左端部で露出側桁５に固定される。尚、必要に応じて踏板１５の他の部分をビス等により壁側桁１及び露出側桁５に固定する。
【００５４】
以上により、１つの踏板１５の取付固定が終了し、以後、残りの踏板１５，１５，…を同様にして取付固定すればよい。
【００５５】
したがって、この実施形態においては、上記のように、各踏板１５を左側に位置付けておいてその全体を後側に向かって真っ直ぐ露出側桁５に押し込み、その状態で右側にスライドさせて右端部を壁側桁１の挿入部２に挿入するので、後向き及び右向きという互いに異なる方向の動作を同時に行う必要がなくなり、施工時の作業を容易に行うことができる。
【００５６】
また、こうして先に壁側桁１及び露出側桁５を固定する施工をし、その後に、それら側桁１，５に対して各踏板１５を取り付けることができるので、仮に半露出階段Ｓが長尺のものであっても、予め住宅の外で階段Ｓを組み立てて住宅内に運び込む施工を行う必要はなくなり、そのことによっても作業がより一層容易になり、半露出階段Ｓの施工の制約を小さくして需要を拡大することができる。
【００５７】
また、踏板１５を側桁１，５に取り付けるための踏板取付金物等が別途不要となるので、その分、階段Ｓを軽量化して取り回しを容易に行うことができ、さらには意匠性を高めたり、コストを下げたりすることができる。
【００５８】
さらに、上記のように踏板１５が壁側桁１にスライド移動した後の状態では、その後部は踏板切込部１６の両側部分で側桁嵌合部７両側の掘り込み部８，９下面上（詳しくは内側掘り込み部８にあっては楔２０を介して下面上）に支持されており、踏板１５後部に対する荷重を露出側桁５によって安定して確実に受けることができる。
【００５９】
また、踏板切込部１６は掘り込み部８，９内に位置して隠蔽され、外部に露出しないので、外観見映え上の不具合が生じることはない。
【００６０】
また、露出側桁５における側桁切込部６ないし内側掘り込み部８の下面の楔収容部１１に踏板１５の下面と圧接するように楔２０を差し込むことで、その楔２０により踏板１５の左端部が露出側桁５に固定されるので、踏板１５を露出側桁５に容易に固定することができる。また、楔２０は踏板１５の下側に位置するので、利用者が階段Ｓを上る際に見え難くなる。
【００６１】
しかも、楔収容部１１は、前側に向かうに連れて深さが浅くなっており、楔２０は前側に向かうに連れて厚さが薄くなって、前側に向かって先細りの形状であるので、利用者が階段Ｓを上る際に楔２０をより一層目立ち難くすることができる。
【００６２】
また、楔収容部１１が内側掘り込み部８の下面に形成されていることで、施工後に仮に踏板１５に壁側桁１から離れる左方向に力が働いて踏板１５が同方向にスライドしようとしても、それは楔２０が食い込む方向となって踏板１５に対して大きな抵抗が生じることとなり、よって踏板１５をより安定して固定することができる。尚、楔収容部１１を外側掘り込み部９の下面に形成してもよいが、上記理由や楔２０を目立ち難くできる点で内側掘り込み部８の下面に形成するのが好ましい。
【００６３】
（その他の実施形態）
尚、上記実施形態では、側桁嵌合部７の厚さｔが踏板切込部１６の幅ｄよりもスライド代だけ小さく、各踏板５は露出側桁５に対し、踏板切込部１６における踏板左端部側の外側面１６ｂが側桁嵌合部７の外側面７ｂに当接しかつ踏板右端部側の内側面１６ａと側桁嵌合部７の内側面７ａとの間にスライド代と同じ間隔があけられた状態で固定されているが、側桁嵌合部７の厚さｔは、踏板切込部１６の幅ｄよりも小さくした上で、踏板５は露出側桁５に対し、踏板切込部１６の外側面１６ｂが側桁嵌合部７の外側面７ｂに間隔をあけて近接しかつ内側面１６ａと側桁嵌合部７の内側面７ａとの間に間隔があけられている構造としてもよい。すなわち、階段Ｓの施工状態では、側桁嵌合部７の内側面７ａと踏板切込部１６の内側面１６ａとの間だけでなく、側桁嵌合部７の外側面７ｂと踏板切込部１６の外側面１６ｂとの間にも間隔があけられていてもよく（側桁嵌合部７の両側に間隔が形成されている）、上記と同様の作用効果が得られる。
【００６４】
また、上記実施形態では、半露出階段Ｓの施工方法として、露出側桁５に側桁嵌合部７が、また踏板１５に該側桁嵌合部７を嵌合させる踏板切込部１６がそれぞれ設けられた半露出階段Ｓを施工する方法について説明しているが、本発明は、このような側桁嵌合部７及び踏板切込部１６が設けられていない半露出階段の施工方法を含んでいる。
【００６５】
斯かる方法において施工する半露出階段は、詳細に図示しないが図１〜図１０によって説明すると、上記実施形態の構成において、露出側桁５にその後部の側桁嵌合部７が形成されておらず、複数の側桁切込部６，６，…のみが当該側桁嵌合部７が形成されるべき位置まで後側に延びるように形成され、この側桁切込部６の下面の右側部に楔収容部１１が設けられている。一方、各踏板１５には、その左端部寄りの後部に踏板切込部１６が形成されておらず、単なる矩形状の板材からなっている。その他の構成は実施形態の半露出階段Ｓと同じである。
【００６６】
すなわち、この半露出階段は、壁Ｗに当接又は近接して固定される壁側桁１と、この壁側桁１と左右方向に対向して起立した状態に配置される露出側桁５と、これら壁側桁１及び露出側桁５の間に架け渡される複数の踏板１５，１５，…とを備えている。また、上記壁側桁１において露出側桁５との対向面である左側面には、各踏板１５の右端部が挿入される挿入部２が開口されている一方、露出側桁５には、該露出側桁５の前端部から後側に向かって水平方向に切り込まれた一定深さの複数の側桁切込部６，６，…が一定間隔をあけて設けられている。
【００６７】
そして、この半露出階段を施工する方法は、壁側桁１を壁に当接（又は近接）した状態で固定して設置するとともに、露出側桁５を壁側桁１と左右方向に対向して起立させ固定する。このような両側桁１，５の固定状態で、まず、各踏板１５の全体を後側に押すことで、その踏板１５の左端側後部を露出側桁５の前側から各側桁切込部６に差し込んで嵌合させる。次いで、そのまま踏板１５を壁側桁１に向かうように右方向にスライド移動させて、右端部を挿入部２に挿入する。また、露出側桁５の側桁切込部６下面の楔収容部１１に楔２０を差し込んで踏板１５を固定する。以後は各踏板１５につき同様の作業を繰り返す。従って、この方法の場合でも、上記実施形態の施工方法と同様の作用効果が得られる。
【００６８】
尚、上記実施形態では、壁側桁１が右側にあり、露出側桁５が左側にある半露出階段Ｓについて説明しているが、逆に、壁側桁１が左側にあり、露出側桁５が右側にある半露出階段に対しても本発明を適用することができるのは言うまでもない。
【産業上の利用可能性】
【００６９】
本発明は、半露出階段の施工が容易になるので、極めて有用で産業上の利用可能性が高い。
【符号の説明】
【００７０】
Ｓ  半露出階段
Ｗ  壁
１  壁側桁
２  挿入部
５  露出側桁
５ａ  内側面
５ｂ  外側面
６  側桁切込部
７  側桁嵌合部
７ａ  内側面
７ｂ  外側面
ｔ  厚さ
８  内側掘り込み部
９  外側掘り込み部
１１  楔収容部
１５  踏板
１６  踏板切込部
１６ａ  内側面
１６ｂ  外側面
ｄ  幅
１７  踏板嵌合部
Ｄ  間隔
２０  楔
【図１】
2019157557.tif 000003
【図２】
2019157557.tif 000004
【図３】
2019157557.tif 000005
【図４】
2019157557.tif 000006
【図５】
2019157557.tif 000007
【図６】
2019157557.tif 000008
【図７】
2019157557.tif 000009
【図８】
2019157557.tif 000010
【図９】
2019157557.tif 000011
【図１０】
2019157557.tif 000012